(57)【要約】      （修正有）【課題】毒性のある煙や霧を出さない安全な蒸気機関車模型の排煙装置を提供する。【解決手段】排煙装置は、水タンク１を備える。水タンクの外形は、蒸気機関車模型Ａのボイラ部と同じ形状を有する。水タンクは、排水管１１と、排煙管１２と霧発生器２と、水位検知器３と、扇風機４とを有する。排水管１１は、水タンクの内部から下底壁を貫通し水タンクの外に突出する。排煙管１２は、水タンクの上端に設置され、水タンクの内部と連通する。霧発生器２により発生した煙霧は、扇風機４に吹かれ、排煙管と排水管からそれぞれ排出され、実物の蒸気機関車のような煙を発生することができる。【選択図】図１
0003188914.tif 000002
【実用新案登録請求の範囲】
【請求項１】
蒸気機関車のボイラ部の形状を有する水タンクを備え
前記水タンクは、排水管、排煙管、霧発生器、水位検知器、および扇風機を有し、
前記排水管は、前記水タンクの前進側の底壁を貫通して前記水タンクの外部に突出するよう設けられており、
前記排煙管は、前記水タンクの前記前進側の鉛直方向の上側に突出するよう設けられており、
前記霧発生器は、前記水タンクの鉛直方向の下側の外壁に設けられており、
前記水位検知器は、前記水タンクの内部において、鉛直方向の底壁側に設けられており、
前記扇風機は、前記水タンクの後退側の外部に設けられており、前記水タンクの内部と連通しており、前記水タンク内において、前記霧発生器が発生する霧を前記前進側に移動させ、前記霧を前記排煙管から前記水タンクの外に排出させることを特徴とする蒸気機関車模型の排煙装置。
【請求項２】
前記水タンクは、貯水の制限水位を有し、
前記制限水位は、前記排水管の前記水タンク内の開口と前記水タンクの底壁との間の距離であることを特徴とする請求項１記載の蒸気機関車模型の排煙装置。
【請求項３】
前記霧発生器は、水を振盪することで霧を発生する振盪器を有することを特徴とする、請求項１記載の蒸気機関車模型の排煙装置。  
【請求項４】
蒸気機関車のボイラ部の内部に設けられている水タンクを備え、
前記水タンクは、排水管、排煙管、霧発生器、水位検知器、および扇風機を有し、
前記排水管は、前記水タンクの前進側の底壁を貫通して前記水タンクの外部に突出するよう設けられており、
前記排煙管は、前記水タンクの前記前進側の鉛直方向の上側に突出するよう設けられており、
前記霧発生器は、前記水タンクの鉛直方向の下側の外壁に設けられており、
前記水位検知器は、前記水タンクの内部において、鉛直方向の底壁側に設けられており、
前記扇風機は、前記水タンクの後退側の外部に設けられており、前記水タンクの内部と連通しており、前記水タンク内において、前記霧発生器が発生した霧を前記前進側に移動させ、前記霧を前記排煙管から前記水タンクの外に排出させることを特徴とする蒸気機関車模型の排煙装置。
【請求項５】
前記水タンクは、貯水の制限水位を有し、
前記制限水位は、前記排水管の前記水タンク内の開口と前記水タンクの底壁との間の距離であることを特徴とする請求項４記載の蒸気機関車模型の排煙装置。  
【請求項６】
霧発生器は、水を振盪することで霧を発生する振盪器を有することを特徴とする、請求項４記載の蒸気機関車模型の排煙装置。
【考案の詳細な説明】
【技術分野】
【０００１】
本考案は蒸気機関車模型の排煙装置に関するものである。
【背景技術】
【０００２】
従来、蒸気機関車模型の煙や霧を発生する技術と方法は、化学薬品を加熱する方法および振盪器により振盪する方法である。蒸気機関車模型において、煙を排出するものはなく、商業用途（例えば回転すし屋、又は、すき焼き屋等）で使用されている蒸気機関車模型は無煙状態で走っている。煙や霧を発生する化学薬品を加熱して煙や霧を排出する蒸気機関車模型は、煙や霧が毒性を有するおそれがあるため、使用することはできない。
【考案の概要】
【考案が解決しようとする課題】
【０００３】
本考案は、安全な蒸気機関車模型の排煙装置を提供することを目的とする。
【課題を解決するための手段】
【０００４】
上述の課題を解決するために、本考案による蒸気機関車模型の排煙装置は、水タンクを備える。水タンクには、排水管と排煙管と霧発生器と水位検知器と扇風機が設けられている。霧発生器は、水を振盪することで、水を霧化する。発生した霧は、扇風機に吹かれ、排煙管から外に排出される。これにより、無毒の安全な水霧が蒸気機関車模型から外に排出され、蒸気機関車模型の排煙と同じ様な機能を有する。
【図面の簡単な説明】
【０００５】
【図１】本考案の第一実施形態による蒸気機関車模型の排煙装置を示す模式図である。
【図２】本考案の第一実施形態による蒸気機関車模型の排煙装置を示す断面図である。
【図３】本考案の第二実施形態による蒸気機関車模型の排煙装置を示す模式図である。
【考案を実施するための形態】
【０００６】
（第一実施形態）
本考案の一実施形態による蒸気機関車模型の排煙装置は、図１が示すように、蒸気機関車模型Ａに設置されている。排煙装置は、水タンク１を備える。水タンク１の外形は、図１および図２に示すように、蒸気機関車模型Ａのボイラ部と同じ形状を有する。水タンク１は、排水管１１と、排煙管１２と霧発生器２と、水位検知器３と、扇風機４とを有する。
【０００７】
排水管１１は、水タンク１の内部から下底壁を貫通し水タンク１の外に突出する。排水管１１の頂点は、水タンク１の中に位置し、所定高さを有する。この高さを、水タンク１の制限高水位とする。水タンク１の中に注ぎ込まれた水の水位が排水管１１の頂点を越えた時、水は排水管１１の頂点からその中に落ち込んで水タンク１の外に排出される。
【０００８】
排煙管１２は、水タンク１の上端に設置され、水タンク１の内部と連通する。それで水タンク１の内部の霧（即ち煙霧）は、排煙管１２から外に出る。水タンク１の下段のある個所に水位検知器３が設置されている。水タンク１のなかの水の水位が水位検知器３の位置を下回ると、水位検知器３がそれを検知し、霧発生器２と扇風機４の電源を切断し、ブザーを鳴らすか、ランプを点灯することで警告する。よって、水タンク１の水を補給することができる。霧発生器２は、水を振盪することで煙霧を発性する。
【０００９】
図２に示すように、霧発生器２の作用により発生した煙霧は、扇風機４に吹かれ、排煙管１２と排水管１１からそれぞれ排出される。これにより、無毒の安全な霧が水タンク１の外に排出され、蒸気機関車模型は、蒸気機関車の排煙のような煙を発生することができる。
【００１０】
（第二実施形態）
本考案の第二実施形態を図３に示す。水タンク１は、模型蒸気機関車Ａの内部に設置されている。水タンク１の排煙管１２は、模型蒸気機関車Ａの排煙口に連結されている。霧発生器２は水タンク１の下に設けられており、霧を発生する。第一実施例と同じように排水管１１と扇風機４とが加設されている。第二実施形態は、第一実施形態と同じように霧が排煙管１２から排出され、実際の蒸気機関車と同じ様な煙を排出する。即ち第二実施形態は、従来の蒸気機関車模型を利用することができる実施形態である。
【００１１】
本考案の中の霧発生器は、水タンクの中で煙のような霧を発生する。この霧は、扇風機に吹かれ、排煙管から水タンクの外に排出される。よって、実際の蒸気機関車の煙のような感じを与える効果を有する。
【符号の説明】
【００１２】
１・・・水タンク、
１１・・・排水管、
１２・・・排煙管、
２・・・霧発生器、
３・・・水位検知器、
４・・・扇風機、
Ａ・・・模型蒸気機関車。
【図１】
0003188914.tif 000003
【図２】
0003188914.tif 000004
【図３】
0003188914.tif 000005